(57)【要約】 【課題】  本発明は、メカ調整などの調整用ＲＦ信号を適切な記録領域に記録し、且つ記録された調整用ＲＦ信号を迅速に読み出すことが可能な情報記録装置を提供する。【解決手段】  レーザ光をＤＶＤ＋Ｒなどの記録媒体に照射して情報を記録する情報記録装置は、レーザ光の校正（ＯＰＣ処理）に使用されるＰＣＡ内に調整用ＲＦ信号を記録する。これにより、全周にわたりＲＦ信号の記録済み領域が存在しないＤＶＤ＋Ｒなどの記録媒体においても、ＰＣＡ内に調整用ＲＦ信号を記録し、それを読み出してメカ調整などを行うことが可能となる。また、情報記録装置は、調整用ＲＦ信号が記録されている可能性が高い領域から順にＰＣＡ内を検索していく。これにより、ＰＣＡ内の調整用ＲＦ信号を迅速に検出することができる。【選択図】      図６
2006018881.tif 000002
【特許請求の範囲】
【請求項１】
レーザ光を記録媒体に照射して情報を記録する情報記録装置であって、
前記レーザ光の校正に使用される前記記録媒体上の所定領域に、調整用ＲＦ信号を記録する記録手段と、
前記所定領域に記録された前記調整用ＲＦ信号を検出する検出手段と、を備えることを特徴とする情報記録装置。
【請求項２】
前記調整用ＲＦ信号は、前記記録媒体上における前記調整用ＲＦ信号の記録位置を示す位置情報を含むことを特徴とする請求項１に記載の情報記録装置。
【請求項３】
前記検出手段は、前記所定領域からＲＦ信号を取得する手段と、
取得されたＲＦ信号がデコード可能である場合に、当該ＲＦ信号を前記調整用ＲＦ信号と判定する判定手段と、を備えることを特徴とする請求項２に記載の情報記録装置。
【請求項４】
前記検出手段は、前記所定領域に記録された情報の情報量が前記調整用ＲＦ信号の単位情報量未満であった場合、又は前記判定手段が前記所定領域内の略全てのデータが前記調整用ＲＦ信号ではないと判定した場合、若しくは前記判定手段が判定を行った時間又は回数が所定条件を満たした場合、前記所定領域には前記調整用ＲＦ信号が記録されていないと決定することを特徴とする請求項３に記載の情報記録装置。
【請求項５】
前記記録手段は、前記所定領域に前記調整用ＲＦ信号が記録されていないと前記検出手段が判定した場合に、前記所定領域において既に情報が記録されている領域に続く未記録領域に前記調整用ＲＦ信号を記録することを特徴とする請求項４に記載の情報記録装置。
【請求項６】
前記判定手段は、最初に前記所定領域の先頭位置から所定データ量の範囲内に前記調整用ＲＦ信号が存在するか否かを判定し、当該範囲内に前記調整用ＲＦ信号が存在しないと判定した場合に、当該所定領域において最新に記録された情報から順に当該情報が前記調整用ＲＦ信号であるか否かの判定を行っていくことを特徴とする請求項３及至５のいずれか一項に記載の情報記録装置。
【請求項７】
前記調整用ＲＦ信号は、光ピックアップ内のメカ調整に用いられることを特徴とする請求項１及至６のいずれか一項に記載の情報記録装置。
【請求項８】
前記記録手段は、前記記録媒体のＰＣＡ内に前記調整用ＲＦ信号を記録することを特徴とする請求項１及至７のいずれか一項に記載の情報記録装置。
【請求項９】
レーザ光を記録媒体に照射して情報を記録する情報記録方法であって、
前記レーザ光の校正に使用される前記記録媒体上の所定領域に、調整用ＲＦ信号を記録する記録工程と、
前記所定領域に記録された前記調整用ＲＦ信号を検出する検出工程と、を有することを特徴とする情報記録方法。
【請求項１０】
レーザ光を記録媒体に照射する光ピックアップと、コンピュータとを有する情報記録装置によって実行され、前記コンピュータを、
前記レーザ光の校正に使用される前記記録媒体上の所定領域に、調整用ＲＦ信号を記録するように前記光ピックアップを制御する記録制御手段、及び、
前記所定領域に記録された前記調整用ＲＦ信号を検出するように前記光ピックアップを制御する検出制御手段として機能させることを特徴とする情報記録プログラム。
【発明の詳細な説明】
【技術分野】
【０００１】
本発明は、光ディスクなどの記録媒体に情報を記録する技術に関する。
【背景技術】
【０００２】
一般的に、光ディスクなどの記録媒体に情報を記録する情報記録装置においては、記録性能の向上のために、記録済みのＲＦ部に記録されたＲＦ信号を用いてメカ調整などの調整を行う必要がある。このメカ調整としては、例えば光ピックアップのフォーカスポジション調整や、液晶チルトの球面収差補正などが挙げられる。
【０００３】
例えば、１回記録可能なＤＶＤ＋ＲやＤＶＤ＋Ｒのダブルレイヤー（２層のＤＶＤ＋Ｒ）などの記録媒体においては、全周にわたりＲＦ信号が記録されたプリライト部の領域が存在しない。したがって、このような記録媒体では、データをディスクに記録する際のメカ調整に使用するＲＦ信号を取得することができなかった。
【発明の開示】
【発明が解決しようとする課題】
【０００４】
本発明が解決しようとする課題には、上記のようなものが例として挙げられる。本発明は、記録特性の向上を目的とするメカ調整などの調整用のＲＦ信号を適切な記録領域に記録し、且つ記録されたＲＦ信号を迅速に読み出すことが可能な情報記録装置、情報記録方法及び情報記録プログラムを提供することを課題とする。
【課題を解決するための手段】
【０００５】
請求項１に記載の発明は、レーザ光を記録媒体に照射して情報を記録する情報記録装置であって、前記レーザ光の校正に使用される前記記録媒体上の所定領域に、調整用ＲＦ信号を記録する記録手段と、前記所定領域に記録された前記調整用ＲＦ信号を検出する検出手段と、を備えることを特徴とする。
【０００６】
請求項９に記載の発明は、レーザ光を記録媒体に照射して情報を記録する情報記録方法であって、前記レーザ光の校正に使用される前記記録媒体上の所定領域に、調整用ＲＦ信号を記録する記録工程と、前記所定領域に記録された前記調整用ＲＦ信号を検出する検出工程と、を有することを特徴とする。
【０００７】
請求項１０に記載の発明は、レーザ光を記録媒体に照射する光ピックアップと、コンピュータとを有する情報記録装置によって実行される情報記録プログラムであって、前記コンピュータを、前記レーザ光の校正に使用される前記記録媒体上の所定領域に、調整用ＲＦ信号を記録するように前記光ピックアップを制御する記録制御手段、及び、前記所定領域に記録された前記調整用ＲＦ信号を検出するように前記光ピックアップを制御する検出制御手段として機能させることを特徴とする。
【発明を実施するための最良の形態】
【０００８】
本発明の好適な実施形態では、レーザ光を記録媒体に照射して情報を記録する情報記録装置は、前記レーザ光の校正に使用される前記記録媒体上の所定領域に、調整用ＲＦ信号を記録する記録手段と、前記所定領域に記録された前記調整用ＲＦ信号を検出する検出手段と、を備える。
【０００９】
上記の情報記録装置は、１回記録可能なＤＶＤ＋Ｒ規格の光ディスク（以降、「ＤＶＤ＋Ｒ」と略称する）のような記録媒体に対してレーザ光を照射して情報を記録する。情報記録装置は、記録媒体上の所定領域を使用してレーザ光のパワー（レーザパワー）の調整などを含むレーザ光の校正を行う。更に、情報記録装置は、所定領域に調整用ＲＦ信号を記録する。これにより、いずれの領域にも記録済みＲＦ信号が存在しないタイプの情報記録媒体、例えばＤＶＤ＋Ｒなどの記録媒体に対しても、調整用ＲＦ信号を記録し、その所定領域から調整用ＲＦ信号を検出することができる。よって、上記のようなＲＦ信号が記録されていないタイプの情報記録媒体に対しても、ＲＦ信号を用いて行うべき調整、例えばメカ調整などを行うことが可能となる。
【００１０】
上記の情報記録装置の他の一態様では、前記調整用ＲＦ信号は、前記記録媒体上における前記ＲＦ信号の記録位置を示す位置情報を含むことができる。情報記録媒体に対して調整用ＲＦ信号が記録されると、その後は、メカ調整などの記録済みＲＦ信号を利用する調整は、その調整用ＲＦ信号を用いて行われる。よって、当該調整用ＲＦ信号中に、その情報記録媒体上における記録位置を示す位置情報を記録しておくことにより、その後にメカ調整などを行う際には、当該位置情報に基づいて調整用ＲＦ信号の記録位置、具体的には記録開始位置や記録終了位置を迅速に見つけることが可能となる。
【００１１】
上記の情報記録装置の他の一態様では、前記検出手段は、前記所定領域からＲＦ信号を取得する手段と、取得されたＲＦ信号がデコード可能である場合に、当該ＲＦ信号を前記調整用ＲＦ信号と判定する判定手段と、を備える。調整用ＲＦ信号は、その後の処理において記録済みＲＦ信号を使用した調整に使用されるため、ある程度の品質が要求される。そこで、その後の調整に使用可能な程度の品質として、調整用ＲＦ信号のデコードの可／不可を品質判断の基準とする。情報記録装置はデコード可能であったＲＦ信号を調整用ＲＦ信号として扱う。
【００１２】
上記の情報記録装置の他の一態様では、前記検出手段は、前記所定領域に記録された情報の情報量が前記調整用ＲＦ信号の単位情報量未満であった場合、又は前記判定手段が前記所定領域内の略全ての情報が前記調整用ＲＦ信号ではないと判定した場合、若しくは前記判定手段が判定を行った時間又は回数が所定条件を満たした場合、前記所定領域には前記調整用ＲＦ信号が記録されていないと決定する。これにより、所定領域内を無駄に検索することなく、所定領域内にＲＦ信号が記録されているか否かを決定することができる。よって、ＲＦ信号の検出に無駄な時間が費やされることが防止される。
【００１３】
上記の情報記録装置の他の一態様では、前記記録手段は、前記検出手段が前記所定領域に前記調整用ＲＦ信号が記録されていないと判定した場合に、前記所定領域において既に情報データが記録されている領域に続く未記録領域に前記調整用ＲＦ信号を記録する。これにより、上記の所定領域が無駄に消費されることが防止される。
【００１４】
上記の情報記録装置の他の一態様では、前記判定手段は、最初に前記所定領域の先頭アドレスから所定データ量の範囲内に前記調整用ＲＦ信号が存在するか否かを判定し、当該範囲内に前記調整用ＲＦ信号が存在しないと判定した場合に、当該所定領域において最新に記録された情報から順に当該情報が前記調整用ＲＦ信号であるか否かの判定を行う。即ち、情報記録装置は、ＲＦ信号が記録される可能性の高い場所から順に検索を行う。これにより、所定領域内のＲＦ信号の検索を迅速に行うことができる。
【００１５】
なお、前記調整用ＲＦ信号は、光ピックアップ内のメカ調整に用いられる。メカ調整としては、例えばフォーカスポジション調整や液晶チルトの球面収差補正などが挙げられる。
【００１６】
また、前記記録媒体としては、例えばＤＶＤ＋Ｒが挙げられ、前記記録手段は、前記ＤＶＤ＋ＲのＰＣＡ（Power Control Area）内に前記調整用ＲＦ信号を記録する。これにより、全周にわたりＲＦ信号の記録済み領域が存在しないＤＶＤ＋Ｒなどの記録媒体においても、ＰＣＡ内に調整用ＲＦ信号を記録することで、その調整用ＲＦ信号を使用してメカ調整その他の必要な調整を行うことが可能となる。
【００１７】
本発明の他の実施形態では、レーザ光を記録媒体に照射して情報を記録する情報記録方法は、前記レーザ光の校正に使用される前記記録媒体上の所定領域に、調整用ＲＦ信号を記録する記録工程と、前記所定領域に記録された前記調整用ＲＦ信号を検出する検出工程と、を有する。この情報記録方法によっても、上記の情報記録装置と同様に、ＲＦ信号が記録されていないタイプの情報記録媒体に対しても、ＲＦ信号を用いて行うべき調整、例えばメカ調整などを行うことが可能となる。
【００１８】
本発明の更に他の実施形態では、レーザ光を記録媒体に照射する光ピックアップと、コンピュータとを有する情報記録装置によって実行される情報記録プログラムは、前記コンピュータを、前記レーザ光の校正に使用される前記記録媒体上の所定領域に、調整用ＲＦ信号を記録するように前記光ピックアップを制御する記録制御手段、及び、前記所定領域に記録された前記調整用ＲＦ信号を検出するように前記光ピックアップを制御する検出制御手段として機能させる。この情報記録プログラムを情報記録装置内のコンピュータに実行させることにより、上記の情報記録装置と同様に、ＲＦ信号が記録されていないタイプの情報記録媒体に対しても、ＲＦ信号を用いて行うべき調整、例えばメカ調整などを行うことが可能となる。
【実施例】
【００１９】
以下、図面を参照して本発明の好適な実施例について説明する。
［光ディスクの記録フォーマット］
まず、本発明の実施例に係る光ディスクＤの記録フォーマットについて、図１と図２を用いて説明する。
【００２０】
図１は、上側に複数のエリアを有する光ディスクＤの構造を概略平面図で示すと共に、下側にその径方向におけるエリア構造を概略図で対応付けて示すものである。
【００２１】
図１に示すように、光ディスクＤは、センターホール１００を中心として内周から外周に向けて、インナードライブエリア（Inner Drive Area）１０１、リードインエリア１０３、データ記録エリア１０４、リードアウトエリア１０５が設けられている。各エリアには、センターホール１００を中心にスパイラル状或いは同心円状にグルーブトラック及びランドトラックが交互に設けられている。なお、このグルーブトラックはウォブリングされてもよいし、これらのうち一方又は両方のトラックにプリピットが形成されてもよい。また、光ディスクＤとしては、例えば１回記録可能なＤＶＤ＋Ｒなどを含む種々の光ディスクを使用することができる。
【００２２】
リードインエリア１０３及びリードアウトエリア１０５には、データを記録する際及び記録されたデータを再生する際に用いる各種の情報が記録されている。また、データ記録エリア１０４には、例えば音楽や映像などのコンテンツ情報が記録される。
【００２３】
インナードライブエリア１０１には、図１の中段の斜線領域で示すようにＰＣＡ１０２が設けられている。ＰＣＡ１０２は、主に、光ディスクＤに情報を記録する際のレーザ光の最適なパワー（レーザパワー）を測定・設定するために、即ちＯＰＣ（Optimum Power Calibration）処理を行うために使用される。具体的には、光ディスクＤが挿入されて記録のコマンドが入力されると、順次段階的に光強度が切り替えられて試し書き用のデータがＰＣＡ１０２に記録されて、いわゆる試し書きの処理が実行される。その後、このようにして記録された試し書き用のデータが再生され、この再生結果が所定の評価基準により判定されて、最適なレーザパワーが設定される。
【００２４】
本実施例では、上記のようなＰＣＡ１０２にメカ調整などの調整に使用されるＲＦ信号（以下、「調整用ＲＦ信号」と呼ぶ。）が記録される。具体的には、図１の最下段の網掛け領域で示すように、ＰＣＡ１０２内に調整用ＲＦ信号が記録される。調整用ＲＦ信号は、光ピックアップのフォーカスポジション調整や液晶チルトの球面収差補正などのメカ調整やその他の調整を行うために用いられる。このようにＰＣＡ１０２に調整用ＲＦ信号を記録するのは、ＤＶＤ＋Ｒのような１回記録可能な記録媒体においては、全周にわたりＲＦ信号が記録されている領域が存在しないため、そのままでは記録媒体に対してメカ調整などの記録済みＲＦ信号を使用する調整ができないからである。
【００２５】
次に、ＰＣＡ１０２の具体的な記録構造について図２を用いて説明する。図２は、光ディスクＤにおけるＰＣＡ１０２部分を拡大して示しており、左側が光ディスクＤの内周側を示し、右側が光ディスクＤの外周側を示している。
【００２６】
図２に示すように、ＰＣＡ１０２は、先頭アドレスＰＣＡ＿ＳＴＡＲＴ＿ＡＤＲから終了アドレスＰＣＡ＿ＥＮＤ＿ＡＤＲまでの領域が確保されている。このＰＣＡ１０２は、主にＯＰＣ処理のために使用される。具体的には、ＰＣＡ１０２は、ＯＰＣ処理の際に光ディスクの外周側から内周側に向かって順次試し書き用のデータが書き込まれていく。以下では、このＯＰＣ処理に使用された領域を「ＯＰＣエリア１０２ｂ」と呼ぶ。更に、本実施例では、ＰＣＡ１０２内に調整用ＲＦ信号が記録される（以下、この調整用ＲＦ信号が記録されたエリアを「調整用ＲＦ信号エリア１０２ａ」と称す）。図２に示す例では、外周側からＯＰＣエリア１０２ｂａ、調整用ＲＦ信号エリア１０２ａ、ＯＰＣエリア１０２ｂｂの順でＰＣＡ１０２が存在している。これは、ＯＰＣ処理が行われた後に調整用ＲＦ信号が記録され、更にその後にＯＰＣ処理が行われたことを示している。この場合、アドレスＯＰＣ＿ＥＮＤ＿ＡＤＲは、最新のＯＰＣ処理にて記録されたデータの終了アドレス（以下、このアドレスを「ＯＰＣ終了アドレス」と呼ぶ）を示している。なお、通常は調整用ＲＦ信号を用いてメカ調整を行った後にＯＰＣ処理が実行されるため、調整用ＲＦ信号エリア１０２ａの内周側に隣接する領域はＯＰＣエリア１０２ｂとなる。
【００２７】
また、図２においてハッチングされた領域、具体的にはＯＰＣ処理及び調整用ＲＦ信号の記録に用いられたＰＣＡ１０２内の領域を使用済み領域１０２ｃと呼ぶ。ＰＣＡ１０２の使用済み領域１０２ｃには、調整用ＲＦ信号エリア１０２ａとＯＰＣエリア１０２ｂの少なくともいずれかが含まれることになる。なお、前述したように、使用済み領域１０２ｃの終了アドレス付近はＯＰＣエリア１０２ｂとして使用されているため、使用済み領域１０２ｃの終了アドレスはＯＰＣ終了アドレスＯＰＣ＿ＥＮＤ＿ＡＤＲと一致する。更に、ＰＣＡ１０２において、未だデータが記録されていない領域（図２においてハッチングされていない領域）を未使用領域１０２ｄと呼ぶ。
【００２８】
なお、調整用ＲＦ信号エリア１０２ａは、ＯＰＣ処理で記録された試し書きデータに阻害されずに確実に調整用ＲＦ信号を読み取るためには、最低３トラック分の領域（内周側でメカ調整を行う場合は概ね９ＥＣＣとなる）が確保されることが好ましい。通常、ある１つのトラックのデータを読み取る際には、その両側（内周側及び外周側）に隣接するトラックにも光ビームの一部が照射され、その戻り光が光ピックアップの受光部により受光される。ＯＰＣエリア１０２ｂはレーザパワーを大きく変動させて試し書きが行われたエリアであるので、調整用ＲＦ信号の読み取り時に光ビームがＯＰＣエリア１０２ｂに跨ると、戻り光の影響により読み取りが不安定になる可能性がある。よって、調整用ＲＦ信号エリア１０２ａが最低３トラック分の領域になるよう調整用ＲＦ信号を記録し、その中央のトラックをトレースすることにより調整用ＲＦ信号を読み取るようにすれば、前後に存在するＯＰＣエリア１０２ｂから悪影響を受けることがない。ＤＶＤ＋Ｒなどの場合、ディスク内周付近では３トラックは約９ＥＣＣに相当するが、本実施例では、余裕を見て調整用ＲＦ信号エリア１０２ａのサイズを１６ＥＣＣとしている。
【００２９】
また、調整用ＲＦ信号エリア１０２ａには、当該情報記録装置に関連する関連情報と、光ディスクＤ上における調整用ＲＦ信号の記録位置を示す位置情報とが記録される。調整用ＲＦ信号エリア１０２ａに記録されるこれらの情報の具体例を、図２の下段に示す。情報記録装置に関連する関連情報としては、例えば、情報記録装置の製造元、即ち製造ＩＤなどが記録される。この関連情報は、調整用ＲＦ信号が有効なＲＦ信号であることを示す情報としての意義を有する。ここで、有効なＲＦ信号とは、その後のメカ調整などの調整において使用可能な程度の記録品質を有するＲＦ信号を指す。具体的には、デコードが可能な程度の品質のＲＦ信号、又は、所定値よりも小さなエラーレートを有するＲＦ信号とすることができる。なお、本発明において調整用ＲＦ信号とは、上記の有効なＲＦ信号を指すものとする。このような観点から、情報記録装置は、光ディスクＤから取得した関連情報としてのＩＤが、情報記録装置が有しているＩＤと一致するか否かを判別することにより、当該光ディスクＤのＰＣＡ１０２内に記録されたＲＦ信号が有効なＲＦ信号、即ち調整用ＲＦ信号であるかを即座に判定することができる。
【００３０】
一方、上記の位置情報としては、例えば調整用ＲＦ信号が記録された領域、即ち調整用ＲＦ信号エリア１０２ａの先頭アドレスＡＤ、或いは終了アドレスＥＤなどの情報が記録される。図２において、調整用ＲＦ信号の記録領域の先頭アドレスＡＤは調整用ＲＦ信号エリア１０２ａの内周側端部に相当し、終了アドレスＥＤは調整用ＲＦ信号エリア１０２ａの外周側端部に相当する。情報記録装置は、この位置情報を取得することにより、調整用ＲＦ信号の記録領域を知り、調整ＲＦ信号エリア１０２ａのうち実際にメカ調整などに使用する部分を迅速に検出することができる。
【００３１】
［情報記録再生装置の構成］
次に、本発明の情報記録装置の一例である情報記録再生装置について図３と図４を用いて説明する。
【００３２】
図３に、本発明を適用した情報記録再生装置の全体構成を概略的に示す。情報記録再生装置１は、光ディスクＤに情報を記録し、また、光ディスクＤから情報を再生するための装置である。
【００３３】
情報記録再生装置１は、光ディスクＤに対して記録ビーム及び再生ビームを照射する光ピックアップ２と、光ディスクＤの回転を制御するスピンドルモータ３と、光ディスクＤへの情報の記録を制御する記録制御部１０と、光ディスクＤに既に記録されている情報の再生を制御する再生制御部２０と、スピンドルモータ３の回転を制御するスピンドルサーボ、並びに光ピックアップ２の光ディスクＤに対する相対的位置制御であるフォーカスサーボ及びトラッキングサーボを含む各種サーボ制御を行うためのサーボ制御部３０と、記録制御部１０と再生制御部２０とサーボ制御部３０とを制御するシステム制御部（ＣＰＵ）４０と、を備える。
【００３４】
記録制御部１０は記録信号を受け取り、光ピックアップ２内部のレーザダイオードを駆動するための駆動信号ＳDを生成して、これを光ピックアップ２へ供給する。
【００３５】
ここで、図４を用いて記録制御部１０の具体的な構成について説明する。図４は、光ピックアップ２及び記録制御部１０の内部構成を示す。図４に示すように、光ピックアップ２は、光ディスクＤに対して情報を記録するための記録ビーム及び光ディスクＤから情報を再生するための再生ビームを生成するレーザダイオードＬＤと、レーザダイオードＬＤから出射されたレーザ光を受光して、レーザ光に対応するレーザパワーレベル信号ＬＤoutを出力するフロントモニタダイオード（ＦＭＤ）１６とを備える。
【００３６】
なお、光ピックアップ２は、この他に再生ビームの光ディスクＤによる反射ビームを受光して読取ＲＦ信号Ｓrfを生成するための光検出器や、記録ビーム及び再生ビーム並びに反射ビームを適切な方向に案内する光学系などの既知の構成要素を備えるが、それらの図示及び詳細な説明は省略する。
【００３７】
一方、記録制御部１０は、レーザダイオード（ＬＤ）ドライバ１２と、ＡＰＣ（Automatic Power Control）回路１３と、サンプルホールド（Ｓ／Ｈ）回路１４と、コントローラ１５とを備える。
【００３８】
ＬＤドライバ１２は、記録信号に応じた電流をレーザダイオードＬＤに供給して、光ディスクＤへ情報の記録を行う。フロントモニタダイオード１６は、光ピックアップ２内のレーザダイオードＬＤの近傍に配置され、レーザダイオードＬＤから出射されるレーザ光を受光して、そのレベルを示すレーザパワーレベル信号ＬＤoutを出力する。
【００３９】
サンプルホールド回路１４は、サンプルホールド信号APC-S/Hにより規定されるタイミングでレーザパワーレベル信号ＬＤoutのレベルをサンプルし、ホールドする。ＡＰＣ回路１３は、サンプルホールド回路１４の出力信号に基づき、レーザダイオードＬＤから出射されるレーザ光のバイアスパワーレベルが一定となるようにＬＤドライバ１２のパワー制御を行う。
【００４０】
コントローラ１５は、主として記録動作を行う。コントローラ１５は、レーザダイオードＬＤへ供給される電流量などを制御する制御信号Ｓiを生成する。そして、コントローラ１５は、この制御信号ＳiをＬＤドライバ１２へ供給することにより記録動作を実行する。なお、コントローラ１５を記録制御部１０内に設けることに限定はされず、後述するシステム制御部４０が、コントローラ１５に代わって上記のような処理を行ってもよい。
【００４１】
図３に戻って、再生制御部２０について説明する。再生制御部２０は、光ピックアップ２から出力される読取ＲＦ信号Ｓrfを受け取り、これに対して所定の復調処理、復号化処理などを施して再生信号を生成して出力する。
【００４２】
サーボ制御部３０は、光ピックアップ２からの読取ＲＦ信号Ｓrfを受け取り、これに基づいてトラッキングエラー信号及びフォーカス信号などのサーボ信号Ｓ１を光ピックアップ２へ供給するとともに、スピンドルサーボ信号Ｓ２をスピンドルモータ３へ供給する。これにより、トラッキングサーボ、フォーカスサーボ、スピンドルサーボなどの各種サーボ処理が実行される。
【００４３】
なお、本発明は主として記録制御部１０における記録方法に関するものであり、再生制御及びサーボ制御については既知の種々の方法が適用できるので、それらについての詳細な説明は行わない。
【００４４】
システム制御部４０は、記録制御部１０と再生制御部２０とサーボ制御部３０のそれぞれに、制御信号Ｓａ、Ｓｂ、Ｓｃを供給する。本実施例では、システム制御部４０は、主に後述の調整用ＲＦ信号記録・検出処理に係る制御を統括して行う。具体的には、システム制御部４０は、ユーザによってデータの記録指示があった場合に、光ディスクＤのＰＣＡ１０２に記録された調整用ＲＦ信号の検出処理を行うように再生制御部２０及びサーボ制御部３０に制御信号Ｓｂ、Ｓｃを供給する。更に、システム制御部４０は、光ディスクＤのＰＣＡ１０２から調整用ＲＦ信号が検出されなかった場合には、記録制御部１０に制御信号Ｓａを供給してＰＣＡ１０２に調整用ＲＦ信号を記録させる。また、システム制御部４０は、取得した調整用ＲＦ信号に基づいてメカ調整を実行するために各制御部を制御すると共に、ＯＰＣ処理を行う際にも各制御部を制御する。以上のように、システム制御部４０は、調整用ＲＦ信号の記録手段、及び検出手段として機能する。
【００４５】
なお、図３には本発明の１つの実施例として情報記録再生装置を例示しているが、本発明は記録専用の情報記録装置に適用することも可能である。
【００４６】
［ＲＦ信号の記録・検出処理］
以下では、前述したシステム制御部４０が行う記録制御について図５〜図７を用いて説明する。
【００４７】
図５は、情報記録再生装置１が光ディスクＤにデータを記録する前に行う処理（以下、「データ記録前処理」と呼ぶ）を示すフローチャートである。なお、データ記録前処理は、情報記録再生装置１内のシステム制御部４０が行う。また、データ記録前処理は、光ディスクＤが情報記録再生装置１に挿入され、ユーザなどにより記録指示があった場合に行われる。
【００４８】
まず、ステップＳ１０１では、システム制御部４０は、光ディスクＤにデータを記録する記録指示があったか否かを判定する。記録指示があった場合には（ステップＳ１０１；Ｙｅｓ）、処理はステップＳ１０２に進む。一方、記録指示がなかった場合には（ステップＳ１０１；Ｎｏ）、当該ルーチンを抜けて処理は終了する。例えば、単に光ディスクＤが挿入されただけで記録指示がなかった場合には、ステップＳ１０２以降の処理は実行されない。
【００４９】
ステップＳ１０２では、システム制御部４０は、調整用ＲＦ信号記録・検出処理を行う。この処理の詳細は後述するが、ここでは簡単に説明する。ステップＳ１０２では、システム制御部４０は、光ディスクＤのＰＣＡ１０２に記録された調整用ＲＦ信号を検出する処理を行うと共に、調整用ＲＦ信号が検出されなかった場合には、光ディスクＤのＰＣＡ１０２に調整用ＲＦ信号を記録する処理を行う。即ち、上記のいずれの場合かを問わず、ステップＳ１０２では、システム制御部４０は調整用ＲＦ信号を取得することになる。そして、処理はステップＳ１０３に進む。なお、システム制御部４０は、ステップＳ１０２における処理の際、詳しくは調整用ＲＦ信号を記録する前に、予備のＯＰＣ処理を行う場合もある。こうするのは、システム制御部４０は、調整用ＲＦ信号を記録するために大まかなレーザパワーを決定する必要があるためである。
【００５０】
ステップＳ１０３では、システム制御部４０は、取得した調整用ＲＦ信号に基づいてメカ調整を実行する。具体的には、システム制御部４０は、メカ調整としてフォーカスポジション調整や液晶チルトの球面収差補正などを行う。これにより、ＯＰＣ処理やデータの記録動作を的確に実行することが可能となる。そして、処理はステップＳ１０４に進む。
【００５１】
ステップＳ１０４では、システム制御部４０は、ＯＰＣ処理を実行する。具体的には、システム制御部４０は、順次段階的に光強度を切り替えて試し書き用のデータをＰＣＡ１０２の未使用領域１０２ｄに記録することで、いわゆる試し書きの処理を実行する。その後、システム制御部４０は、このようにして記録された試し書き用のデータを再生して、この再生結果を所定の評価基準に基づいて判定し、最適なレーザパワーを設定する。そして、処理はステップＳ１０５に進む。
【００５２】
ステップＳ１０５では、システム制御部４０は、ステップＳ１０４にて決定されたレーザパワーに設定して、データ記録エリア１０４へのデータの記録を開始する。そして、処理は当該ルーチンを抜ける。
【００５３】
以上のように、本実施例に係る情報記録再生装置１は、ＯＰＣ用の試し書きを行うために設けられたＰＣＡなどの適切な領域に調整用ＲＦ信号を記録する。これにより、情報記録再生装置１は、調整用ＲＦ信号を用いて不具合なくメカ調整を実行し、且つ、このメカ調整に基づいて適切にＯＰＣ処理を実行することが可能となる。
【００５４】
次に、図５に示したステップＳ１０２における調整用ＲＦ信号記録・検出処理について、図６及び図７を用いて具体的に説明する。
【００５５】
まず、本実施例に係る調整用ＲＦ信号記録・検出処理について簡単に説明する。前述したように、調整用ＲＦ信号は光ディスクＤのＰＣＡ１０２内に記録される。本実施例に係る情報記録再生装置１は、ＰＣＡ１０２内を効率的に検索して調整用ＲＦ信号を検出する。詳しくは、情報記録再生装置１は、当該情報記録再生装置１が調整用ＲＦ信号を記録する領域を考慮に入れて、調整用ＲＦ信号が記録される可能性の高い場所から順にＰＣＡ１０２内を検索していく。この場合、情報記録再生装置１は、当該情報記録再生装置１によって調整用ＲＦ信号が記録された光ディスクＤであるか否かで検索方法を変えている。なお、「同一の情報記録再生装置」とは、装置の完全一致を意味せず、装置が同種のもの（例えば、同一の製造メーカーの装置）であればよい。以下、同様とする。
【００５６】
更に、本実施例に係る情報記録再生装置１は、上記のような検索にて調整用ＲＦ信号が検出されなかった場合は、光ディスクＤのＰＣＡ１０２に調整用ＲＦ信号を記録する。この場合、情報記録再生装置１は、限られた容量しかないＰＣＡ１０２を無駄に消費しないように調整用ＲＦ信号を記録すると共に、本実施例に係る調整用ＲＦ信号記録・検出処理にて迅速に調整用ＲＦ信号が検出されるような領域に調整用ＲＦ信号を記録する。
【００５７】
以下で、図６のフローチャートを用いて本実施例に係る調整用ＲＦ信号記録・検出処理を具体的に説明する。また、調整用ＲＦ信号記録・検出処理の説明を補足するために、図７に示すＰＣＡ１０２内の記録構造図も用いる。なお、この処理もシステム制御部４０が行うことができる。また、前述のように調整用ＲＦ信号エリア１０２ａのサイズは１６ＥＣＣに設定するものとする。更に、説明の便宜のため、ＰＣＡ１０２にはＯＰＣ処理に係るデータと調整用ＲＦ信号以外のデータは記録されないものとする。
【００５８】
まず、ステップＳ２０１では、システム制御部４０は、ＰＣＡ１０２の先頭アドレスＰＣＡ＿ＳＴＡＲＴ＿ＡＤＲと、ＯＰＣ終了アドレスＯＰＣ＿ＥＮＤ＿ＡＤＲとを取得する。そして、処理はステップＳ２０２に進む。
【００５９】
ステップＳ２０２では、システム制御部４０は、ＰＣＡ１０２の使用済み領域１０２ｃのサイズが１６ＥＣＣ未満であるか否かを判定する。ＰＣＡ１０２内の使用済み領域１０２ｃのサイズは、図７（ａ）に示すように、ステップＳ２０１で取得された先頭アドレスＰＣＡ＿ＳＴＡＲＴ＿ＡＤＲとＯＰＣ終了アドレスＯＰＣ＿ＥＮＤ＿ＡＤＲとの差（距離）に相当する。
【００６０】
ここで、ステップＳ２０２の判定を行う理由について説明する。使用済み領域１０２ｃには、前述したようにＯＰＣエリア１０２ｂと調整用ＲＦ信号エリア１０２ａの両方が存在するか、或いはＯＰＣエリア１０２ｂのみが存在する、若しくは何も記録されていないかのいずれかである。本実施例では、調整用ＲＦ信号エリア１０２ａのサイズを１６ＥＣＣとしたため、使用済み領域１０２ｃのサイズが１６ＥＣＣ未満であれば当該使用エリア１０２ｃには調整用ＲＦ信号が記録されていることはありえない。一方、使用済み領域１０２ｃのサイズが１６ＥＣＣ以上であれば当該使用エリア１０２ｃには調整用ＲＦ信号が記録されている可能性がある。即ち、ステップＳ２０２の判定は、使用済み領域１０２ｃ内に調整用ＲＦ信号エリア１０２ａが存在する可能性の有無を判定するために行っている。このように、ステップＳ２０２での判定は、使用済み領域１０２ｃ内を検索することなく、使用済み領域１０２ｃのサイズのみに基づいて行われる。これにより、使用済み領域１０２ｃ内に調整用ＲＦ信号が記録されているか否かの大まかな判定を迅速に行うことができる。
【００６１】
使用済み領域１０２ｃのサイズが１６ＥＣＣ未満であれば（ステップＳ２０２；Ｙｅｓ）、処理はステップＳ２１１に進む。一方、使用済み領域１０２ｃのサイズが１６ＥＣＣ以上であれば（ステップＳ２０２；Ｎｏ）、処理はステップＳ２０３に進む。
【００６２】
ステップＳ２１１では、システム制御部４０は、図７（ｂ）の網掛け領域で示すようにＯＰＣ終了アドレスＯＰＣ＿ＥＮＤ＿ＡＤＲの内周側に隣接するように、１６ＥＣＣのサイズの領域内に調整用ＲＦ信号を記録し、あわせて関連情報と位置情報を記録する。即ち、システム制御部４０は、ＰＣＡ１０２内に調整用ＲＦ信号が記録されていなかった場合には、ＰＣＡ１０２内に調整用ＲＦ信号を記録する。使用済み領域１０２ｃが１６ＥＣＣ未満であると判定された場合（ステップＳ２０２；Ｙｅｓ）の光ディスクＤには、調整用ＲＦ信号が、ＰＣＡ１０２の先頭アドレスＰＣＡ＿ＳＴＡＲＴ＿ＡＤＲから所定範囲内、具体的には先頭アドレスＰＣＡ＿ＳＴＡＲＴ＿ＡＤＲから１５ＥＣＣ以内の位置から記録されることになる。これにより、この光ディスクＤに対して次回に当該ルーチンを実行した場合、後述するステップＳ２０４にて即座に調整用ＲＦ信号を検出することが可能となる。以上の処理が終了すると、処理は当該ルーチンを抜ける。
【００６３】
ステップＳ２０３では、システム制御部４０は、図７（ｃ）に示すようにＰＣＡ１０２の先頭アドレスＰＣＡ＿ＳＴＡＲＴ＿ＡＤＲから１５ＥＣＣだけ内周側のアドレスＡＤＲ＿１のデータを読み込む。このようにアドレスＡＤＲ＿１のデータを読み込むのは、この位置に調整用ＲＦ信号エリア１０２ａが存在するか否かを判定するためである。ここで、ＰＣＡ１０２内において調整用ＲＦ信号エリア１０２ａが存在する領域を検索するのに、まず初めにアドレスＡＤＲ＿１のデータに対して検索を実行する理由について説明する。当該ルーチンを実行中の光ディスクＤが、前述のステップＳ２０２→ステップＳ２１１の処理を行ったことのある光ディスクＤであるならば、先頭アドレスＰＣＡ＿ＳＴＡＲＴ＿ＡＤＲから１５ＥＣＣだけ内周側の領域（即ち、先頭アドレスＰＣＡ＿ＳＴＡＲＴ＿ＡＤＲから所定範囲内）に調整用ＲＦ信号が記録されているはずである。したがって、このような光ディスクＤに対して無駄な検索を行わないために、即ち、当該情報記録再生装置１によって調整用ＲＦ信号が記録された光ディスクＤを迅速に処理するために、まず初めにアドレスＡＤＲ＿１のデータを検索する。このようなステップＳ２０３の処理が終了すると、処理はステップＳ２０４に進む。
【００６４】
ステップＳ２０４では、システム制御部４０は、アドレスＡＤＲ＿１のデータが読み取り不可であるか否か、又はアドレスＡＤＲ＿１のデータが有するＩＤが当該ルーチンを実行している情報記録再生装置１が有するＩＤと不一致であるか否かを判定する。調整用ＲＦ信号には、前述したようにデコード可能なレベルの記録品質で位置情報及び関連情報、具体的にはＲＦ信号の先頭アドレスとＩＤが含まれている。したがって、アドレスＡＤＲ＿１のデータが読み取り不可であった場合、又はＩＤが不一致であった場合は（ステップＳ２０４；Ｙｅｓ）、アドレスＡＤＲ＿１にあるデータは調整用ＲＦ信号のデータでない。この場合は、処理はステップＳ２０５に進む。なお、システム制御部４０は、１回のデコード処理によりデータが読み取りできなかった場合に当該データが読み取り不可であると判定することができる。なお、読み取り不可である場合とは、例えば再生データのエラーレートが所定値（例えば「１×１０−３」）以上である場合などである。
【００６５】
一方、アドレスＡＤＲ＿１のデータが読み取り可であり、且つＩＤが一致した場合は（ステップＳ２０４；Ｎｏ）、処理はステップＳ２１０に進む。この場合、アドレスＡＤＲ＿１のデータは、調整用ＲＦ信号のデータである。なお、当該光ディスクＤは、当該情報記録再生装置１がステップＳ２０２→ステップＳ２１１の処理にてＲＦ信号を記録したものであるといえる。
【００６６】
ステップＳ２０５では、システム制御部４０は、ＯＰＣ終了アドレスＯＰＣ＿ＥＮＤ＿ＡＤＲを汎用変数Ｘに代入する。そして、処理はステップＳ２０６に進む。ステップＳ２０６では、システム制御部４０は、上記の変数Ｘに「８ＥＣＣ」を加算したものを新たな変数Ｘに更新する処理を行う。この場合、変数Ｘが示すアドレス（以下、「アドレスＸ」と表記する）は、ＯＰＣ終了アドレスＯＰＣ＿ＥＮＤ＿ＡＤＲよりも８ＥＣＣだけ外周側に進むことになる。そして処理はステップＳ２０７に進む。
【００６７】
ステップＳ２０７では、システム制御部４０は、上記のアドレスＸがＰＣＡ１０２の先頭アドレスＰＣＡ＿ＳＴＡＲＴ＿ＡＤＲを超えたか否かを判定する。後述するステップＳ２０９の処理にてアドレスＸのデータが調整用ＲＦ信号のデータであるかを判定する処理が行われるが、アドレスＸがＰＣＡ１０２外に到達した場合には、このような判定を行わずともＰＣＡ１０２内に調整用ＲＦ信号が存在しないことは明らかである。即ち、ステップＳ２０７の判定は、ＲＦ信号の検出に無駄に時間を費やさないために行われている。
【００６８】
アドレスＸがＰＣＡ１０２の先頭アドレスＰＣＡ＿ＳＴＡＲＴ＿ＡＤＲを超えた場合には（ステップＳ２０７；Ｙｅｓ）、処理はステップＳ２１１に進む。ステップＳ２１１では、システム制御部４０は、ＯＰＣ終了アドレスＯＰＣ＿ＥＮＤ＿ＡＤＲの内周側に隣接するように、１６ＥＣＣのサイズの調整用ＲＦ信号を記録する。即ち、ＰＣＡ１０２内サーチしたにも拘わらず調整用ＲＦ信号が見つからなかった場合は、ＰＣＡ１０２に調整用ＲＦ信号が記録される。
【００６９】
一方、アドレスＸがＰＣＡ１０２の先頭アドレスＰＣＡ＿ＳＴＡＲＴ＿ＡＤＲを超えていない場合には（ステップＳ２０７；Ｎｏ）、処理はステップＳ２０８に進む。
【００７０】
ステップＳ２０８では、システム制御部４０は、上記のアドレスＸのデータを読み込む。そして、処理はステップＳ２０９に進む。ステップＳ２０９では、上記したステップＳ２０４の処理と同様に、システム制御部４０は、アドレスＸのデータが読み取り不可であるか、又はアドレスＸのデータのＩＤが当該情報記録再生装置１が有するＩＤと不一致であるか否かを判定する。これにより、アドレスＸのデータが調整用ＲＦ信号のデータであるか否かを判定することができる。
【００７１】
アドレスＸのデータが読み取り不可、又はＩＤが不一致であった場合は（ステップＳ２０９；Ｙｅｓ）、処理はステップＳ２０６に戻る。この場合、ステップＳ２０６以降の処理を再度実行することになる。つまり、アドレスＸに更に８ＥＣＣを加算したアドレスのデータに対して前述したステップＳ２０９の判定を行う。そして、更新されたアドレスＸがＰＣＡ１０２内に位置するが（ステップＳ２０７；Ｎｏ）、アドレスＸのデータが調整用ＲＦ信号のデータでなかった場合は（ステップＳ２０９；Ｙｅｓ）、再度ステップＳ２０６以降の処理が行われる。即ち、ＰＣＡ１０２からＲＦ信号が検出されるまで、ＰＣＡ１０２内の検索が行われる（具体的には、ステップＳ２０６〜Ｓ２０９までのループが繰り返し実行される）。
【００７２】
図７（ｄ）に、調整用ＲＦ信号の検索を実行する様子を示す。ＰＣＡ１０２の先頭アドレスＰＣＡ＿ＳＴＡＲＴ＿ＡＤＲ付近に調整用ＲＦ信号が検出されなかった場合は、ＯＰＣ終了アドレスＯＰＣ＿ＥＮＤ＿ＡＤＲから外周側に向かって８ＥＣＣずつ移動させたアドレスのデータに対して、そのデータが調整用ＲＦ信号エリア１０２ａ内のデータであるか否かの判定（ステップＳ２０９の判定）が行われる。具体的には、ＯＰＣ終了アドレスＯＰＣ＿ＥＮＤ＿ＡＤＲから外周側に８ＥＣＣずつ移動したアドレスＡＤＲ＿２ａ、ＡＤＲ＿２ｂ、ＡＤＲ＿２ｃ、…、のデータに対して順次ステップＳ２０９の判定が行われる。そして、この判定にて当該アドレスのデータが調整用ＲＦ信号エリア１０２ａ内のデータであると判定された場合は、ステップＳ２０６〜Ｓ２０９までのループを抜け、処理はステップＳ２１０に進む。
【００７３】
なお、上記のように８ＥＣＣずつアドレスを移動させて検索するのは、ＯＰＣ処理に使用した部分に隣接した領域はデコードが困難であることが予想されるので、確率的に８ＥＣＣずつ検索すれば確実に調整用ＲＦ信号を検出することができるためである。なお、検索の際に移動させる領域は８ＥＣＣに限定されることはなく、８〜１４ＥＣＣの範囲であれば問題はない。また、ＯＰＣ終了アドレスＯＰＣ＿ＥＮＤ＿ＡＤＲから外周側に向かって検索を行うのは、当該情報記録再生装置１によりステップＳ２０７→ステップＳ２１１の処理が行われた光ディスクＤは、先頭アドレスＰＣＡ＿ＳＴＡＲＴ＿ＡＤＲよりもＯＰＣ終了アドレスＯＰＣ＿ＥＮＤ＿ＡＤＲ寄りの領域にＲＦ信号が記録されている可能性が高いからである。
【００７４】
一方、アドレスＸのデータが読み取り可であり、且つＩＤが一致した場合は（ステップＳ２０９；Ｎｏ）、処理はステップＳ２１０に進む。ステップＳ２１０では、システム制御部４０は、読み取ったデータから調整用ＲＦ信号の位置情報、例えば調整用ＲＦ信号エリア１０２ａの先頭アドレスＡＤを取得する。これにより、システム制御部４０は、メカ調整に実際に使用する調整用ＲＦ信号を取得することが可能となる。以上の処理が終了すると、処理は当該ルーチンを抜ける。そして、当該ルーチンを抜けた後は、処理は図５に示したフローチャートのステップＳ１０３に進み、システム制御部４０はメカ調整を実行する。
【００７５】
なお、関連情報と位置情報は、調整用ＲＦ信号エリア１０２ａに複数回記録されても良い。上述のように、８ＥＣＣずつアドレスＸを変えつつデータをリードする際に、複数回記録された関連情報と位置情報のいずれか１つをリードできれば、ＲＦ信号を取得することが可能となる。
【００７６】
また、本実施例に係る調整用ＲＦ信号記録・検出処理において、ステップＳ２０７とステップＳ２０８の間に、ステップＳ２０６〜Ｓ２０９までの処理を行った回数が所定回数（例えば、５回）を超えたか否かを判定する処理を行ってもよい。こうするのは、ＲＦ信号の検索に無駄に時間を費やさないためである。また、同様の理由で、ステップＳ２０６〜Ｓ２０９までの処理を行った時間が所定時間（例えば、２秒）を超えたか否かを判定する処理を行ってもよい。この場合には、実際にはＰＣＡ１０２内に実は調整用ＲＦ信号が存在するかも知れないが、その検出に必要以上に時間をかけることなく、調整用ＲＦ信号が存在しないときと同様に新たに調整用ＲＦ信号を記録してしまうことになる。
【００７７】
以上のように、本実施例に係る情報記録再生装置１は、調整用ＲＦ信号記録・検出処理によって検出されやすいように調整用ＲＦ信号を記録すると共に、調整用ＲＦ信号記録・検出処理にて調整用ＲＦ信号が記録される位置を考慮に入れて調整用ＲＦ信号の検索を行う。これにより、情報記録再生装置１は、光ディスクＤに記録された調整用ＲＦ信号を即座に検出することができる。また、情報記録再生装置１は、ＰＣＡ１０２内に記録されたデータを検索し、ＰＣＡ１０２の使用済み領域１０２ｃに隣接させて調整用ＲＦ信号を記録する（即ち、使用済み領域１０２ｃとメカ調整用ＲＦエリア１０２ｂとの間に未使用の領域が生じないようにする）ため、ＰＣＡ１０２が無駄に消費されることはない。
【図面の簡単な説明】
【００７８】
【図１】本発明の実施例に係る光ディスクの記録フォーマットを概略的に示す図である。
【図２】本発明の実施例に係るＰＣＡの記録構造を示す図である。
【図３】本発明を適用した情報記録再生装置の概略構成を示すブロック図である。
【図４】図３に示す記録制御部の構成を示すブロック図である。
【図５】本発明に係るデータ記録前処理を示すフローチャートである。
【図６】本発明に係る調整用ＲＦ信号記録・検出処理を示すフローチャートである。
【図７】調整用ＲＦ信号の記録方法・検出方法を説明するための図である。
【符号の説明】
【００７９】
１  情報記録再生装置
２  光ピックアップ
３  スピンドルモータ
１０  記録制御部
１２  ＬＤドライバ
２０  再生制御部
３０  サーボ制御部
４０  システム制御部
１０２  ＰＣＡ（Power Control Area）
１０２ａ  調整用ＲＦ信号エリア
１０２ｂ  ＯＰＣエリア
Ｄ  光ディスク
【図１】
2006018881.tif 000003
【図２】
2006018881.tif 000004
【図３】
2006018881.tif 000005
【図４】
2006018881.tif 000006
【図５】
2006018881.tif 000007
【図６】
2006018881.tif 000008
【図７】
2006018881.tif 000009